(57)【特許請求の範囲】
【請求項１】
壁の貫通孔に挿入される筐体を備え、前記筐体は前記壁の貫通孔に挿入された状態において前記壁に取付けられることができる筐体ユニットであって、
前記筐体が前記壁の貫通孔に挿入された状態において前記筐体が前記壁に挿入された挿入方向とは反対方向の側の前記筐体に設けられた開口を介して、前記筐体の内側から、前記挿入方向に沿った前記筐体の面である側面を越えて前記筐体の外側に突出した第１の突出部と、
前記筐体の側面において前記筐体の内側から前記筐体の外側に貫通した貫通孔を介して、前記筐体の内側にある状態から前記筐体の外側における前記第１の突出部と同じ方向に突出できる第２の突出部と、を備え、
前記筐体は、前記開口を開閉可能な蓋部を有し、
前記筐体ユニットは、さらに、
前記側面の内側に設けられ、前記第１の突出部と前記第２の突出部との前記筐体の内側における前記挿入方向に沿った距離を調整するための調整部を備え、
前記調整部は、前記挿入方向に窪んだ孔と、前記孔に嵌まる軸部材とを有し、
前記第１の突出部は、前記軸部材が挿通される貫通孔を前記筐体の内側に有し、
前記第２の突出部は、前記軸部材が挿通される貫通孔を前記筐体の内側に有し、
前記孔は、内側面にネジ部が切られ、
前記軸部材は、ボルトであり、
前記調整部は、
前記ネジ部に対する前記ボルトの締め具合によって前記第１の突出部と前記第２の突出部との前記筐体の内側における前記挿入方向に沿った距離を調整する、筐体ユニット。
【請求項２】
請求項１に記載の筐体ユニットであって、
前記蓋部は、前記蓋部の側面において前記第１の突出部を受け入れるために窪んだ窪み部を有する、筐体ユニット。
【請求項３】
請求項１または請求項２に記載の筐体ユニットであって、
前記筐体の側面における貫通孔は、前記筐体の側面において前記筐体の深さ方向に対して直交する直交方向に延びた略長方形状であり、
前記第２の突出部は、前記直交方向に延びた板状部分を有するとともに前記板状部分が前記筐体の内側にある状態から前記筐体の外側における前記第１の突出部と同じ方向に突出できる、筐体ユニット。
【請求項４】
請求項３に記載の筐体ユニットであって、
前記第２の突出部は、
前記板状部分より前記直交方向における長さが短く、前記板状部分から前記筐体の内側方向に突出するとともに前記板状部分の前記直交方向において中央に位置しており、前記筐体の外側方向に向かって押されることによって前記板状部分を前記筐体の内側にある状態から前記筐体の外側における前記第１の突出部と同じ方向に突出させることができる、第３の突出部を有する、筐体ユニット。
【請求項５】
壁の貫通孔に挿入される筐体を備え、前記筐体は前記壁の貫通孔に挿入された状態において前記壁に取付けられることができる筐体ユニットであって、
前記筐体が前記壁の貫通孔に挿入された状態において前記筐体が前記壁に挿入された挿入方向とは反対方向の側の前記筐体に設けられた開口を介して、前記筐体の内側から、前記挿入方向に沿った前記筐体の面である側面を越えて前記筐体の外側に突出した第１の突出部と、
前記筐体の側面において前記筐体の内側から前記筐体の外側に貫通した貫通孔を介して、前記筐体の内側にある状態から前記筐体の外側における前記第１の突出部と同じ方向に突出できる第２の突出部と、を備え、
前記第２の突出部が前記貫通孔を介して前記筐体の外側に突出する前の状態において、前記筐体の前記側面の外側の面には、前記第１の突出部のみが配置されており、
前記筐体は、前記開口を開閉可能な蓋部を有し、
前記筐体ユニットは、さらに、
前記側面の内側に設けられ、前記第１の突出部と前記第２の突出部との前記筐体の内側における前記挿入方向に沿った距離を調整するための調整部と、を備える、筐体ユニット。
【請求項６】
請求項５に記載の筐体ユニットであって、
前記調整部は、前記挿入方向に窪んだ孔と、前記孔に嵌まる軸部材とを有し、
前記第２の突出部は、前記軸部材が挿通されるとともに前記筐体の外側から前記筐体の内側に向かうにつれて前記軸部材に対する幅寸法が短くなる部分を含む貫通孔を有する、筐体ユニット。
【請求項７】
請求項５または６に記載の筐体ユニットであって、
前記第１の突出部を前記挿入方向に投影したとき、前記第１の突出部のうち前記筐体の外側に突出した部分と、前記第２の突出部が前記同じ方向に突出した状態における前記第２の突出部のうち前記筐体の外側に突出した部分とが重なる、筐体ユニット。
【発明の詳細な説明】
【技術分野】
【０００１】
本発明は、筐体を壁に取付けることができる筐体ユニットに関する。
【背景技術】
【０００２】
配電盤や電気錠における制御部を収納する筐体には、壁に取り付けられるものがある。筐体を壁に取り付ける方式には、埋込型取付けがある。埋込型取付けとは、壁の貫通孔に筐体が挿入された状態で取り付けられることによって筐体が壁に埋め込まれて取り付けられる方式のことである。
【先行技術文献】
【特許文献】
【０００３】
【特許文献１】特開２０００−２２８８０４号公報
【発明の概要】
【発明が解決しようとする課題】
【０００４】
特許文献１の筐体は、配電盤や電気錠における制御部を収納する筐体である。このような筐体には、埋込型取付けで壁に取付けられたときに、筐体を壁に取付けるために用いられた取付け部材が筐体の外側に露出するものがある。筐体を壁に取付けるために用いられた取付け部材が、筐体の外側においてボルトを介して壁と締結されていると、筐体の蓋が閉じられている状態であっても筐体の外側に露出したボルトを外すことにより筐体を不正に取り外される場合があるという課題があった。そのため、筐体が不正に取り外されることを防止できる技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、筐体ユニットが提供される。この筐体ユニットは、壁の貫通孔に挿入される筐体を備え、前記筐体は前記壁の貫通孔に挿入された状態において前記壁に取付けられることができる筐体ユニットであって、前記筐体が前記壁の貫通孔に挿入された状態において前記筐体が前記壁に挿入された挿入方向とは反対方向の側の前記筐体に設けられた開口を介して、前記筐体の内側から、前記挿入方向に沿った前記筐体の面である側面を越えて前記筐体の外側に突出した第１の突出部と、前記筐体の側面において前記筐体の内側から前記筐体の外側に貫通した貫通孔を介して、前記筐体の内側にある状態から前記筐体の外側における前記第１の突出部と同じ方向に突出できる第２の突出部と、を備え、前記筐体は、前記開口を開閉可能な蓋部を有し、前記筐体ユニットは、さらに、前記側面の内側に設けられ、前記第１の突出部と前記第２の突出部との前記筐体の内側における前記挿入方向に沿った距離を調整するための調整部と、を備える。このような態様とすれば、第１の突出部と第２の突出部とにより壁を挟み込み、調整部により第１の突出部と第２の突出部との距離を縮めることで壁を把持させることによって、筐体を壁に取付けることができる。その結果、筐体の蓋が閉じられている状態において、筐体の外側に露出している取付けの部位は第１の突出部のみであり、第１の突出部自身に壁への取付けおよび取外しを可能とする機能はない状態となるため、筐体が不正に取り外されることを防止できる。
【０００７】
（２）本発明の一形態によれば、前記蓋部は、前記蓋部の側面において前記第１の突出部を受け入れるために窪んだ窪み部を有してもよい。この形態によれば、窪み部のない蓋部が設けられた形態に比べて、筐体が壁に取付けられたときに壁から突出している蓋部の突出部分を少なくすることができる。
【０００８】
（３）本発明の一形態によれば、前記筐体の側面における貫通孔は、前記筐体の側面において前記筐体の深さ方向に対して直交する直交方向に延びた略長方形状であり、前記第２の突出部は、前記直交方向に延びた板状部分を有するとともに前記板状部分が前記筐体の内側にある状態から前記筐体の外側における前記第１の突出部と同じ方向に突出できてもよい。この形態によれば、壁を第１の突出部と第２の突出部とが把持しているとき、第２の突出部側において壁を把持している部分は板状であるため、壁を把持している部分が板状でない形態に比べて、壁を堅固に把持できる。
【０００９】
（４）本発明の一形態によれば、前記第２の突出部は、前記板状部分より前記直交方向における長さが短く、前記板状部分から前記筐体の内側方向に突出するとともに前記板状部分の前記直交方向において中央に位置しており、前記筐体の外側方向に向かって押されることによって前記板状部分を前記筐体の内側にある状態から前記筐体の外側における前記第１の突出部と同じ方向に突出させることができる、第３の突出部を有してもよい。この形態によれば、直交方向からの傾きを少なくして板状部分を筐体の内側から筐体の外側に突出させようとしたとき、第２の突出部の直交方向における２つの端部を支持して板状部分を筐体の外側に突出させることに比べ、第２の突出部の直交方向において中央に位置した１つの第３の突出部を支持して板状部分を筐体の外側に突出させることの方が、支持すべき部位を少なくすることができる。また、第２の突出部の直交方向における２つの端部を支持して板状部分を筐体の外側に突出させる場合、２つの端部を筐体の外側に向けて押し出す押し出し量を２つの端部の間で揃えようとしなければ板状部分における直交方向からの傾きを少なくすることはできない。これに対して、本発明の一形態によれば、第３の突出部を支持して板状部分を筐体の内側から筐体の外側に突出させるとき、第３の突出部は第２の突出部の直交方向において中央に位置しているため、板状部分における直交方向からの傾きを少なくすることを容易に実現できる。また、第３の突出部は、筐体の内側方向に突出しているため、板状部分を筐体の外側に突出させるときに、最後まで筐体の内側方向に第３の突出部における一部は残る。このため、第３の突出部を筐体の外側方向に押し出し可能な分だけ押し出すことによって、板状部分を筐体の外側に押し出し可能な押し出し量を余すことなく突出させることができる。
【００１０】
（５）本発明の一形態によれば、前記調整部は、前記挿入方向に窪んだ孔と、前記孔に嵌まる軸部材とを有し、前記第１の突出部は、前記軸部材が挿通される貫通孔を前記筐体の内側に有し、前記第２の突出部は、前記軸部材が挿通される貫通孔を前記筐体の内側に有し、前記孔は、内側面にネジ部が切られ、前記軸部材は、ボルトであり、前記調整部は、前記ネジ部に対する前記ボルトの締め具合によって前記第１の突出部と前記第２の突出部との前記筐体の内側における前記挿入方向に沿った距離を調整してもよい。この形態によれば、ネジ部に対するボルトの締め具合によって、第１の突出部と第２の突出部との筐体の内側における挿入方向に沿った距離を調整できる。このため、第１の突出部と第２の突出部との筐体の内側における挿入方向に沿った距離について、微細な調整を実現できる。
【００１１】
（６）本発明の一形態によれば、前記調整部は、前記挿入方向に窪んだ孔と、前記孔に嵌まる軸部材とを有し、前記第２の突出部は、前記軸部材が挿通されるとともに前記筐体の外側から前記筐体の内側に向かうにつれて前記軸部材に対する幅寸法が短くなる部分を含む貫通孔を有してもよい。この形態によれば、第２の突出部を筐体の内側から筐体の外側に突出させるにつれて、軸部材を挿通している貫通孔の軸部材に対する直交方向における寸法が短くなるため、軸部材は、軸部材の直径より短くなった寸法における貫通孔の部分と嵌まり合うことができる。その結果、第２の突出部は、第２の突出部が筐体の外側に突出した状態で軸部材によって保持されることができる。
【００１２】
（７）本発明の一形態によれば、前記第１の突出部を前記挿入方向に投影したとき、前記第１の突出部のうち前記筐体の外側に突出した部分と、前記第２の突出部が前記同じ方向に突出した状態における前記第２の突出部のうち前記筐体の外側に突出した部分とが重なってもよい。この形態によれば、第１の突出部において前記筐体の外側に突出した部分と第２の突出部において筐体の外側に突出した部分とが、挿入方向において重ならない形態と比べて、壁を堅固に把持できる。
【００１３】
本発明の形態は、筐体ユニットの形態に限るものではなく、例えば、筐体ユニットを備えたセキュリティシステムなどの種々の形態に適用することも可能である。また、本発明は、前述の形態に何ら限定されるものではなく、本発明の趣旨を逸脱しない範囲内において様々な形態で実施し得ることは勿論である。
【図面の簡単な説明】
【００１４】
【図１】本実施形態における筐体ユニットについて示した説明図である。
【図２】本実施形態における筐体ユニットについて、板状部分が筐体の外側に突出した状態を示した説明図である。
【図３】筐体の内側に板状部分がある状態の筐体が、壁の貫通孔に挿入されている状態を示した説明図である。
【図４】図３の矢視Ｆ４−Ｆ４から見た筐体１０５を示した断面図である。
【図５】筐体が壁に取付けられた状態を示した説明図である。
【図６】図５の矢視Ｆ６−Ｆ６から見た筐体１０５を示した断面図である。
【図７】壁に挿入されて取付けられた筐体における蓋部が閉じている状態を示した説明図である。
【図８】第２実施形態における筐体ユニットについて示した説明図である。
【発明を実施するための形態】
【００１５】
Ａ．第１実施形態：
図１は、本実施形態における筐体ユニット１００について示した説明図である。図１には、相互に直交するＸＹＺ軸が図示されている。図１のＸＹＺ軸は、他の図のＸＹＺ軸に対応する。筐体ユニット１００は、壁の貫通孔に挿入された状態における筐体１０５を壁に取付けるための装置である。筐体ユニット１００は、筐体１０５と、第１の突出部１４０ａ、１４０ｂ、１４０ｃ、１４０ｄと、第２の突出部１６０ａ、１６０ｂと、調整部１９０ａ、１９０ｂ、１９０ｃ、１９０ｄとを備える。
【００１６】
筐体１０５は、電気錠における制御部（図示しない）を収納する筐体である。筐体１０５は、箱部１１０と、蓋部１２０とを備える。
【００１７】
箱部１１０は、Ｙ軸方向の−側に開口Ａを有する箱状の部材である。箱部１１０は、電気錠における制御部を収納する空間を画定する壁部として、側面１１２と、側面１１４と、側面１１６と、側面１１８と、底面１１９を有する。
【００１８】
側面１１２および側面１１４は、ＸＹ平面に沿った面である。側面１１２は、側面１１４よりＺ軸方向の＋側に配されている。側面１１２は、筐体１０５の内側から筐体１０５の外側に貫通した貫通孔２１２を有する。側面１１４は、筐体１０５の内側から筐体１０５の外側に貫通した貫通孔２１４を有する。貫通孔２１２および２１４は、Ｘ軸方向に延びた略長方形状の貫通孔である。
【００１９】
側面１１６および側面１１８は、ＹＺ平面に沿った面である。側面１１６は、側面１１８よりＸ軸方向の＋側に配されている。側面１１２および側面１１４は、側面１１６および側面１１８の間を接続する。底面１１９は、Ｙ軸方向の＋側から、側面１１２と、側面１１４と、側面１１６と、側面１１８とにそれぞれ接続する。
【００２０】
蓋部１２０は、箱部１１０のＸ軸方向の＋側における端部近傍のＺ軸方向を回転軸とする蝶番を軸として、箱部１１０における開口を開閉可能に設けられている。蓋部１２０は、Ｚ軸方向を向いた面において、蓋部１２０が閉じているとき第１の突出部１４０を受け入れるために窪んだ窪み部２４０ａ、２４０ｂ、２４０ｃ、２４０ｄを有する。
【００２１】
第１の突出部１４０ａ、１４０ｂは、箱部１１０における開口Ａを介して、筐体１０５の内側から、側面１１２を越えて筐体１０５の外側に突出している。第１の突出部１４０ｃ、１４０ｄは、箱部１１０における開口Ａを介して、筐体１０５の内側から、側面１１４を越えて筐体１０５の外側に突出している。
【００２２】
第１の突出部１４０ａおよび１４０ｂは、筐体１０５の内側から筐体１０５の外側において同じ方向であるＺ軸方向の＋側に突出している。第１の突出部１４０ｃおよび１４０ｄは、筐体１０５の内側から筐体１０５の外側において同じ方向であるＺ軸方向の−側に突出している。尚、本実施形態の説明では、第１の突出部の各々を総称する場合には符号「１４０」を使用する。
【００２３】
本実施形態では、第１の突出部１４０ａは第１の突出部１４０ｂよりＸ軸方向の＋側に配される。また、本実施形態では、第１の突出部１４０ｃは第１の突出部１４０ｄよりＸ軸方向の＋側に配される。他の実施形態では、第１の突出部１４０は、側面１１６および側面１１８の内側に設けられていてもよい。本実施形態では、第１の突出部１４０は、４つ備えられている。他の実施形態では、第１の突出部１４０は、４つより少ない数を備えられていてもよいし、４つより多い数を備えられていてもよい。
【００２４】
蓋部１２０は、Ｚ軸方向を向いた面において、蓋部１２０が閉じているとき第１の突出部１４０を受け入れるために窪んだ窪み部２４０ａ、２４０ｂ、２４０ｃ、２４０ｄを有する。窪み部２４０ａ、２４０ｂ、２４０ｃ、２４０ｄは、蓋部１２０の開き方向側に窪んでいる。窪み部２４０ａは、第１の突出部１４０ａを受け入れる。窪み部２４０ｂ、窪み部２４０ｃおよび窪み部２４０ｄは、窪み部２４０ａと同様に、それぞれ第１の突出部１４０ｂ、第１の突出部１４０ｃおよび第１の突出部１４０ｄを受け入れる。このため、窪み部のない蓋部が設けられた形態に比べて、筐体１０５が壁に取付けられたときに壁から突出している蓋部１２０の突出部分を少なくすることができる。
【００２５】
第２の突出部１６０ａは、筐体１０５の内側にある状態から、側面１１２における貫通孔２１２を介して筐体１０５の外側における第１の突出部１４０ａおよび第１の突出部１４０ｂと同じ方向であるＺ軸方向の＋側に突出できる。第２の突出部１６０ｂは、筐体１０５の内側にある状態から、側面１１４における貫通孔２１４を介して筐体１０５の外側における第１の突出部１４０ｃおよび第１の突出部１４０ｄと同じ方向であるＺ軸方向の−側に突出できる。尚、本実施形態の説明では、第２の突出部の各々を総称する場合には符号「１６０」を使用する。
【００２６】
本実施形態では、第１の突出部１４０ａおよび１４０ｂをＹ軸方向に投影したとき、第１の突出部１４０ａおよび１４０ｂのうち筐体１０５の外側に突出した部分と、第１の突出部１４０ａおよび１４０ｂと同じ方向に突出した状態における第２の突出部１６０ａのうち筐体１０５の外側に突出した部分とが重なる。
【００２７】
本実施形態では、第１の突出部１４０ｃおよび１４０ｄをＹ軸方向に投影したとき、第１の突出部１４０ｃおよび１４０ｄのうち筐体１０５の外側に突出した部分と、第１の突出部１４０ｃおよび１４０ｄと同じ方向に突出した状態における第２の突出部１６０ｂのうち筐体１０５の外側に突出した部分とが重なる。
【００２８】
このため、第１の突出部１４０において筐体１０５の外側に突出した部分と第２の突出部１６０において筐体１０５の外側に突出した部分とが重ならない形態と比べて、壁を堅固に把持できる。
【００２９】
第２の突出部１６０ａは、Ｘ軸方向に延びた板状部分１７０ａを有する。本実施形態では、第２の突出部１６０ａのうち、板状部分１７０ａが、筐体１０５の内側にある状態から筐体１０５の外側に突出できる。第２の突出部１６０ｂについても、第２の突出部１６０ａにおける板状部分１７０ａと同様に、Ｘ軸方向に延びた板状部分１７０ｂを有する。尚、図１における第２の突出部１６０ａおよび第２の突出部１６０ｂは、筐体１０５の内側にある状態である。
【００３０】
第２の突出部１６０ａは、第３の突出部１８０ａを有する。第３の突出部１８０ａは、板状部分１７０ａよりＸ軸方向における長さが短く、板状部分１７０ａからＺ軸方向の−側に突出するとともに板状部分１７０ａのＸ軸方向において中央に位置している。尚、本実施形態でいう中央とは、中央および中央近傍を含んだ意味とする。
【００３１】
第２の突出部１６０ｂは、第３の突出部１８０ｂを有する。第３の突出部１８０ｂは、板状部分１７０ｂよりＸ軸方向における長さが短く、板状部分１７０ｂからＺ軸方向の＋側に突出するとともに板状部分１７０ｂのＸ軸方向において中央に位置している。
【００３２】
このため、Ｘ軸方向からの傾きを少なくして板状部分１７０ａを筐体１０５の内側から筐体１０５の外側に突出させようとしたとき、第２の突出部１６０ａのＸ軸方向における２つの端部を支持して板状部分１７０ａを筐体１０５の外側に突出させることに比べ、板状部分１７０ａのＸ軸方向において中央に位置した１つの第３の突出部１８０ａを支持して板状部分１７０ａを筐体の外側に突出させることの方が、支持すべき部位を少なくすることができる。また、第２の突出部１６０ａのＸ軸方向における２つの端部を支持して板状部分１７０ａを筐体１０５の外側に突出させる場合、２つの端部を筐体１０５の外側に向けて押し出す押し出し量を２つの端部の間で揃えようとしなければ板状部分１７０ａにおけるＸ軸方向からの傾きを少なくすることはできない。これに対して、本実施形態によれば、第３の突出部１８０ａを支持して板状部分１７０ａを筐体１０５の内側から筐体１０５の外側に突出させるとき、第３の突出部１８０ａは板状部分１７０ａのＸ軸方向において中央に位置しているため、板状部分１７０ａにおけるＸ軸方向からの傾きを少なくすることを容易に実現できる。また、第３の突出部１８０ａは、筐体１０５の内側方向に突出しているため、板状部分１７０ａを筐体１０５の外側に突出させるときに、最後まで筐体１０５の内側方向に第３の突出部１８０ａにおける一部は残る。このため、第３の突出部１８０ａを筐体１０５の外側方向に押し出し可能な分だけ押し出すことによって、板状部分１７０ａを筐体１０５の外側に押し出し可能な押し出し量を余すことなく板状部分１７０ａを突出させることができる。
【００３３】
第３の突出部１８０ｂを支持して板状部分１７０ｂを筐体１０５の内側から筐体１０５の外側に突出させるときも、板状部分１７０ａと同様の効果が得られる。
【００３４】
調整部１９０ａ、１９０ｂ、１９０ｃ、１９０ｄは、第１の突出部１４０と第２の突出部１６０との筐体１０５の内側におけるＹ軸方向に沿った距離を調整できる。本実施形態の説明では、４つの調整部の各々を総称する場合には符号「１９０」を使用する。
【００３５】
本実施形態では、調整部１９０ａおよび調整部１９０ｂは、側面１１２の内側に設けられており、調整部１９０ａは調整部１９０ｂよりＸ軸方向の＋側に配される。また、本実施形態では、調整部１９０ｃおよび調整部１９０ｄは、側面１１４の内側に設けられており、調整部１９０ｃは調整部１９０ｄよりＸ軸方向の＋側に配される。他の実施形態では、調整部１９０は、側面１１６および側面１１８の内側に備えられていてもよい。本実施形態では、調整部１９０は、４つ備えられている。他の実施形態では、調整部１９０は、４つより少ない数を備えられていてもよいし、４つより多い数を備えられていてもよい。
【００３６】
本実施形態では、調整部１９０は、Ｙ軸方向の＋側に窪んだ孔と、その孔に嵌まる軸部材Ｓを有する。本実施形態では、孔の内側面には、ネジ部が切られており、軸部材Ｓは、ボルトであるため、軸部材Ｓは孔に対して締めることができる。
【００３７】
他の実施形態では、孔の内側面には、ネジ部が切られておらず、軸部材Ｓは、ボルトでなくてもよく、軸部材Ｓが孔に嵌まり込むことによって、孔と軸部材Ｓが固定されてもよい。このとき、軸部材Ｓが嵌まる孔の深さが異なる部材を交換することによって、軸部材Ｓの孔に対する嵌まり込みの程度を調整してもよい。
【００３８】
本実施形態では、第１の突出部１４０および第２の突出部１６０には、調整部１９０における軸部材Ｓが挿通する貫通孔が筐体１０５の内側に形成されている。本実施形態における調整部１９０は、筐体１０５の内側において第１の突出部１４０および第２の突出部１６０に形成された貫通孔を挿通した軸部材Ｓであるボルトの、孔の内側面に切られたネジ部に対する締め具合によって、第１の突出部１４０と第２の突出部１６０との筐体１０５の内側におけるＹ軸方向に沿った距離を調整する。
【００３９】
このため、ネジ部に対するボルトの締め具合によって、第１の突出部１４０と第２の突出部１６０との筐体１０５の内側におけるＹ軸方向に沿った距離を調整できる。その結果、第１の突出部１４０と第２の突出部１６０との筐体１０５の内側におけるＹ軸方向に沿った距離について、微細な調整を実現できる。
【００４０】
本実施形態では、第１の突出部１４０と第２の突出部１６０との筐体１０５の内側における間には、軸部材Ｓが挿通される環状部材Ｃ（図４に図示されている）が配される。軸部材Ｓであるボルトは、筐体１０５の内側において第１の突出部１４０および第２の突出部１６０に形成された貫通孔を挿通するとともに環状部材Ｃも挿通している。環状部材Ｃは、第１の突出部１４０と第２の突出部１６０との筐体１０５の内側におけるＹ軸方向に沿った距離が調整されることによって生じる第１の突出部１４０におけるＹ軸方向の＋側への曲がりを防ぐ。
【００４１】
図２は、本実施形態における筐体ユニット１００について、板状部分１７０ａおよび１７０ｂが筐体１０５の外側に突出した状態を示した説明図である。筐体１０５は、第１の突出部１４０と第２の突出部１６０（板状部分１７０ａおよび１７０ｂ）とに壁を把持させることによって、壁に取付けられる。
【００４２】
図３は、板状部分１７０ａおよび１７０ｂが筐体１０５の内側にある状態の筐体１０５が、壁５６０における貫通孔５８０に挿入されている状態を示した説明図である。図４は、図３の矢視Ｆ４−Ｆ４から見た筐体１０５を示した断面図である。筐体１０５は、板状部分１７０ａおよび１７０ｂが筐体１０５の内側にある状態において、壁５６０における貫通孔５８０に挿入される。
【００４３】
図５は、図３および図４において板状部分１７０ａおよび１７０ｂが筐体１０５の内側にあった状態から、筐体１０５の外側に突出したことによって、筐体１０５が壁５６０に取付けられた状態を示した説明図である。図６は、図５の矢視Ｆ６−Ｆ６から見た筐体１０５を示した断面図である。
【００４４】
筐体１０５が貫通孔５８０に挿入されてから、板状部分１７０ａおよび１７０ｂが筐体１０５の内側から筐体１０５の外側へ突出することによって、壁５６０が第１の突出部１４０と第２の突出部１６０とに挟まれる。この状態において、調整部１９０は、軸部材Ｓであるボルトの、孔の内側面に切られたネジ部に対する締め具合によって、第１の突出部１４０と第２の突出部１６０との筐体１０５の内側におけるＹ軸方向に沿った距離を調整する。調整部１９０が第１の突出部１４０と第２の突出部１６０とに壁５６０を把持させることができる距離を調整することによって、筐体１０５は壁５６０に取付けられることができる。
【００４５】
本実施形態では、板状部分１７０ａおよび１７０ｂが、筐体１０５の内側にある状態から筐体１０５の外側に突出できる。よって、筐体の外側において第１の突出部１４０と壁を把持している第２の突出部１６０の部分は板状であるため、壁を把持している部分が板状でない形態に比べて、壁を堅固に把持できる。
【００４６】
図７は、壁５６０に挿入されて取付けられた筐体１０５における蓋部１２０が閉じている状態を示した説明図である。壁５６０に挿入されて取付けられた筐体１０５において蓋部１２０を閉じている状態では、筐体１０５の外側に露出する部位は、第１の突出部１４０である。
【００４７】
以上説明した実施形態によれば、第１の突出部１４０と第２の突出部１６０とにより壁５６０を挟み込み、調整部１９０により第１の突出部１４０と第２の突出部１６０との距離を縮めることで壁５６０を把持させることによって、筐体１０５を壁５６０に取付けることができる。その結果、筐体１０５の蓋部１２０が閉じられている状態において、軸部材Ｓであるボルトは筐体１０５に覆われているとともに筐体１０５の外側に露出している取付けの部位は第１の突出部１４０のみであり、第１の突出部１４０自身に壁５６０への取付けおよび取外しを可能とする機能はない状態となるため、筐体１０５が不正に取り外されることを防止できる。
【００４８】
Ｂ．第２実施形態：
図８は、第２実施形態における筐体ユニット１００ａについて示した説明図である。筐体ユニット１００ａは、第２の突出部１６０ａおよび１６０ｂの代わりに、第２の突出部１６０ａおよび１６０ｂに形成された貫通孔とは異なる形状の貫通孔Ｈを有する第２の突出部１６０ｃおよび１６０ｄを有する点を除き、第１実施形態における筐体ユニット１００と同様である。尚、図８では、理解を容易にするため、蓋部１２０および第１の突出部１４０は図示しないものとする。
【００４９】
第２の突出部１６０ｃおよび１６０ｄは、軸部材Ｓが挿通されるとともに筐体１０５の外側から筐体１０５の内側に向かうにつれて軸部材Ｓに対する幅寸法（Ｘ軸方向における寸法）が短くなる部分を含む貫通孔Ｈを有する。貫通孔Ｈは、筐体１０５の内側方向における端側においては、筐体１０５の内側に向かうにつれて軸部材Ｓに対する幅寸法が長くなる部分を含む。このため、第２の突出部１６０を筐体１０５の内側から筐体１０５の外側に突出させるにつれて、貫通孔Ｈの軸部材Ｓに対する幅寸法が短くなるため、軸部材Ｓは、軸部材Ｓの直径より短くなった寸法における貫通孔Ｈの部分と嵌まり合うことができる。その結果、第２の突出部１６０は、第２の突出部１６０が筐体１０５の外側に突出した状態で軸部材Ｓによって保持されることができる。
【００５０】
Ｃ．変形例：
上記第１実施形態の筐体ユニット１００では、蓋部１２０は、蓋部１２０の側面において第１の突出部１４０を受け入れるために窪んだ窪み部２４０ａ、２４０ｂ、２４０ｃ、２４０ｄを有していたが、本発明はこれに限られない。例えば、蓋部１２０は、蓋部１２０の側面において第１の突出部１４０を受け入れるために窪んだ窪み部を有していなくてもよい。
【００５１】
上記第１実施形態の筐体ユニット１００では、第２の突出部１６０ｃおよび１６０ｄは、第３の突出部１８０ａおよび第３の突出部１８０ｂを有していたが、本発明はこれに限られない。例えば、第２の突出部１６０ｃおよび１６０ｄは、第３の突出部１８０ａおよび第３の突出部１８０ｂを有していなくてもよい。
【００５２】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００５３】
１００…筐体ユニット
１００ａ…筐体ユニット
１０５…筐体
１１０…箱部
１１２，１１４，１１６，１１８…側面
１１９…底面
１２０…蓋部
１４０…第１の突出部
１４０ａ，１４０ｂ，１４０ｃ，１４０ｄ…第１の突出部
１６０…第２の突出部
１６０ａ，１６０ｂ，１６０ｃ，１６０ｄ…第２の突出部
１７０ａ，１７０ｂ…板状部分
１８０ａ，１８０ｂ…第３の突出部
１９０…調整部
１９０ａ，１９０ｂ，１９０ｃ，１９０ｄ…調整部
２１２…貫通孔
２１４…貫通孔
２４０ａ，２４０ｂ，２４０ｃ，２４０ｄ…窪み部
５６０…壁
５８０…貫通孔
Ａ…開口
Ｃ…環状部材
Ｈ…貫通孔
Ｓ…軸部材
【図１】
0006597155.tif 000002
【図２】
0006597155.tif 000003
【図３】
0006597155.tif 000004
【図４】
0006597155.tif 000005
【図５】
0006597155.tif 000006
【図６】
0006597155.tif 000007
【図７】
0006597155.tif 000008
【図８】
0006597155.tif 000009